【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
前部上端、前部下端、前部左端、および前部右端を有する前部壁であって、前記前部壁は可撓性シート材料を含む、前記前部壁と、
後部上端、後部下端、後部左端、および後部右端を有する後部壁であって、前記後部壁は可撓性シート材料を含む、前記後部壁と、
分配オリフィスとを含む可撓性貯蔵袋であって、
ここで、（ｉ）前記後部壁は、前記前部壁および後部壁の少なくとも２つのそれぞれの端部に沿って前記前部壁に接着的または／および熱的に接合されて、（ｉｉ）前記分配オリフィスが前記前部壁および前記後部壁の一方または両方に取り付けられて、当該貯蔵袋への液体の出入りを可能にし、
前記前部壁の、前記後部壁に熱的または／および接着的に接合されている部分であって、各壁の端を含まないものである、前記前部壁の当該部分は、前記前部壁及び前記後部壁の中心に近接する接合中央部からなる、前記可撓性貯蔵袋。
【請求項２】
前記可撓性シート材料が熱可塑性ポリマーを含む、請求項１に記載の可撓性貯蔵袋。
【請求項３】
前記可撓性シート材料が、少なくとも第１の熱可塑性ポリマー層と金属箔層とを有する積層体を含む、請求項１に記載の可撓性貯蔵袋。
【請求項４】
第２の熱可塑性ポリマー層をさらに含み、前記第１の熱可塑性ポリマー層および前記第２の熱可塑性ポリマー層は前記金属箔層を挟む、請求項３に記載の可撓性貯蔵袋。
【請求項５】
ガセット壁をさらに含み、前記ガセット壁は前記シート材料からなり、前記ガセット壁は、前部下端および後部下端のそれぞれに近接して前記前部壁と前記後部壁とに接着的または熱的に接合される、請求項１に記載の可撓性貯蔵袋。
【請求項６】
前記分配オリフィスが注ぎ口を含み、前記注ぎ口が前記前後左右の上下端、前後左右端の間に熱的または接着的に接合されている、請求項１に記載の可撓性貯蔵袋。
【請求項７】
前記接合中央部を通って伸びる穴をさらに備える、請求項１に記載の可撓性貯蔵袋。
【請求項８】
前記第１のシートは前記前部下端で前記ガセットシートと一体的に接合され、前記第２のシートは前記第２の下端で前記ガセットシートと一体的に接合される、請求項５に記載の可撓性貯蔵袋。
【請求項９】
第１のシート周辺部、第１のシート外面および第１のシート内面を有する可撓性の第１のシートと、
第２のシート周辺部、第２のシート外面および第２のシート内面を有する可撓性の第２のシートと、
閉止可能な注ぎ口とを含む可撓性貯蔵袋であって、
（ｉ）前記第１のシート内面および前記第２のシート内面が互いに向き合うようにして、前記第１のシート周辺部の少なくとも一部が前記第２のシート周辺部に熱的または／および接着的に接合されており、（ｉｉ）前記第１のシート内面は、前記第１のシート内面および前記第２のシート内面のそれぞれの中心位置に近接する接合中央部で該第２のシート内面に熱的または／および接着的に接合されており、（ｉｉｉ）前記注ぎ口は、前部シートおよび後部シートの一方または両方に取り付けられて、貯蔵袋への液体の出入りを可能にし、
前記可撓性貯蔵袋が初乳で満たされたとき、前記可撓性の第１のシート及び前記可撓性の第２のシートは、前記接合中央部の周辺で一貫して分離する、前記可撓性貯蔵袋。
【請求項１０】
前記可撓性の第１のシートおよび前記可撓性の第２のシートがそれぞれ、少なくとも第１の熱可塑性ポリマー層と金属箔層とを有する積層体を含む、請求項９に記載の可撓性貯蔵袋。
【請求項１１】
前記接合中央部分を通って伸びる穴をさらに備える、請求項９に記載の可撓性貯蔵袋。
【請求項１２】
前記可撓性の第１のシートおよび前記可撓性の第２のシートのそれぞれが、第２の熱可塑性ポリマー層をさらに含み、前記第１の熱可塑性ポリマー層および前記第２の熱可塑性ポリマー層が前記金属箔層を挟む、請求項１０に記載の可撓性貯蔵袋。
【請求項１３】
ガセットシート周辺部を有する可撓性ガセットシートであって、前記第１のシート周辺部および前記第２のシート周辺部にほぼ近接する部分で、第１のシートと第２のシートの間の両方の部分に熱的または接着的に接合される前記ガセットシート周辺部を有する、前記可撓性ガセットシートさらに含む、請求項９に記載の可撓性貯蔵袋。
【請求項１４】
前記注ぎ口が、前記第１のシートと前記第２のシートとの間で、それぞれの周辺部に近接して熱的または接着的に接合されている、請求項９に記載の可撓性貯蔵袋。
【請求項１５】
前記注ぎ口が自己修復注入ポートを含む、請求項９に記載の可撓性貯蔵袋。
【請求項１６】
前記第１のシートは、前記第１のシートと前記ガセットシートとを分割する第１の折り目で前記ガセットシートと一体的に接合され、前記第２のシートは前記第１のシートと前記ガセットシートを分割する第２の折り目で前記ガセットシートに一体的に接合される、請求項１３に記載の可撓性貯蔵袋。
【請求項１７】
請求項９に記載の可撓性貯蔵袋を使用する方法であって、
注ぎ口を通して初乳を貯蔵袋に充填し、貯蔵袋が充填されたら注ぎ口を閉じ、
貯蔵袋を低温殺菌装置に入れることによって貯蔵袋内の初乳を低温殺菌し、
低温殺菌後の初乳を充填した貯蔵袋を冷却器内で請求項９に記載の別の貯蔵袋の上部に積層して初乳を冷却し、そして
貯蔵袋を冷却器から取り出し、
貯蔵袋と初乳を温め、そして
貯蔵袋から子牛に初乳を給餌することを含む、方法。
【請求項１８】
前記貯蔵袋が、前記接合中央部を通って伸びている穴をさらに含み、そして前記方法が垂直に配向されたロッドを含むスタンドを設け、積み重ねるときに前記貯蔵袋を前記ロッド上でスライドさせることをさらに含む、請求項１７に記載の方法。
【請求項１９】
前記初乳を子牛に給餌することが、注ぎ口を開くこと、給餌ニップルを注ぎ口に取り付けること、および前記ニップルを子牛の口内に配置することをさらに含む、請求項１７に記載の方法。
【請求項２０】
接合中央部を通って伸長する穴を有する第２の貯蔵袋と、接合中央部を通って伸長する穴を有する第３の貯蔵袋と、基部および前記基部から上方へ伸長する垂直ロッドを含むスタンドとであって、ここで前記貯蔵袋、第２の貯蔵袋および第３の貯蔵袋はそれぞれの穴を貫通する垂直ロッドを用いて積層される、請求項１１に記載の貯蔵袋の組み合わせ。
【請求項２１】
第１の可撓性貯蔵袋であって、
第１のシート周辺部、第１のシート外面および第１のシート内面を有する可撓性の第１のシート、
第２のシート周辺部、第２のシート外面および第２のシート内面を有する可撓性の第２のシート、
閉止可能な注ぎ口を含み、
（ｉ）前記第１のシート内面および前記第２のシート内面が互いに向き合うようにして、前記第１のシート周辺部の少なくとも一部が前記第２のシート周辺部に熱的または／および接着的に接合されており、（ｉｉ）前記第１のシート内面は、前記第１のシート内面および前記第２のシート内面のそれぞれの中心位置に近接する接合中央部で該第２のシート内面に熱的または／および接着的に接合されており、（ｉｉｉ）前記接合中央部は、該接合中央部を通って伸長する穴を含むものである、前記第１の可撓性貯蔵袋と、
接合中央部を通って伸長する穴を有する第２の可撓性貯蔵袋と、
接合中央部を通って伸長する穴を有する第３の可撓性貯蔵袋と、
基部および前記基部から上方へ伸長する垂直ロッドを含むスタンドとを含み、
前記第１の貯蔵袋、前記第２の貯蔵袋および前記第３の貯蔵袋はそれぞれの穴を貫通する垂直ロッドを用いて積層されるものである、組合せ。
【請求項２２】
第１の可撓性貯蔵袋であって、
前部上端、前部下端、前部左端、および前部右端を有する前部壁であって、前記前部壁は可撓性シート材料を含む、前記前部壁と、
後部上端、後部下端、後部左端、および後部右端を有する後部壁であって、前記後部壁は可撓性シート材料を含む、前記後部壁と、
分配オリフィスとを含み、
（ｉ）前記後部壁は、前記前部壁および後部壁の少なくとも２つのそれぞれの端に沿って前記前部壁に接着的または／および熱的に接合されて、（ｉｉ）前記前部壁の中心に近接する接合中央部は、前記後部壁の近傍中心に熱的または／および接着的に接合されて、（ｉｉｉ）前記接合中央部は、前記接合中央部を通って伸びる穴を含むものである、前記第１の可撓性貯蔵袋と、
接合中央部を通って伸長する穴を有する第２の貯蔵袋と、
接合中央部を通って伸長する穴を有する第３の貯蔵袋と、
基部および前記基部から上方へ伸長する垂直ロッドを含むスタンドとを含み、
前記第１の貯蔵袋、前記第２の貯蔵袋および前記第３の貯蔵袋はそれぞれの穴を貫通する垂直ロッドを用いて積層されるものである、組合せ。
【請求項２３】
実質的に、
前部上端、前部下端、前部左端、および前部右端を有する前部壁であって、前記前部壁は可撓性シート材料を含む、前記前部壁と、
後部上端、後部下端、後部左端、および後部右端を有する後部壁であって、前記後部壁は可撓性シート材料を含む、前記後部壁と、
分配オリフィスと、
前記可撓性シート材料からなるガセット壁であって、前部下端および後部下端のそれぞれに近接して前記前部壁と前記後部壁とに接着的または熱的に接合される前記ガセット壁とからなる可撓性貯蔵袋であって、
前記前部壁の、前記後部壁に熱的または／および接着的に接合されている部分には、（ｉ）前記前部上端および前記後部上端、（ｉｉ）前記前部左端および前記後部左端、（ｉｉｉ）前記前部右端および前記後部右端、ならびに（ｉｖ）前記前部壁及び前記後部壁の中心に近接する接合中央部が含まれる、可撓性貯蔵袋。